(57)【要約】【課題】印刷物を複写する場合において、当該印刷物に付加されている付加情報とは異なる付加情報を複写物に付加することを可能とする。【解決手段】読み取られた文書の画像を取得する取得手段と、前記取得手段により取得された画像から、当該画像に付加する付加画像に関する付加情報が埋め込まれている印字情報を抽出する抽出手段と、前記抽出手段により抽出された印字情報を解析することで得られる付加画像に関する付加情報を用いて、前記取得された画像に付加されている付加画像とは異なる付加画像を、付加画像を管理する情報処理装置へ要求する要求手段と、前記情報処理装置から付加画像を受信する受信手段と、前記画像に付加されている付加画像から、前記受信手段により受信した付加画像に差し替えて画像を生成する画像生成手段と、前記画像生成手段により生成された画像に対して出力処理を行う出力手段とを有する。【選択図】図４
2011061342.tif 000002
【特許請求の範囲】
【請求項１】
読み取られた文書の複写物を出力する出力装置であって、
読み取られた文書の画像を取得する取得手段と、
前記取得手段により取得された画像から、当該画像に付加する付加画像に関する付加情報が埋め込まれている印字情報を抽出する抽出手段と、
前記抽出手段により抽出された印字情報を解析することで得られる付加画像に関する付加情報を用いて、前記取得された画像に付加されている付加画像とは異なる付加画像を、付加画像を管理する情報処理装置へ要求する要求手段と、
前記情報処理装置から付加画像を受信する受信手段と、
前記画像に付加されている付加画像から、前記受信手段により受信した付加画像に差し替えて画像を生成する画像生成手段と、
前記画像生成手段により生成された画像に対して出力処理を行う出力手段と
を有することを特徴とする出力装置。
【請求項２】
前記受信手段により受信した付加画像を用いて、当該付加画像に関する印字情報を生成する印字情報生成手段を更に有し、
前記画像生成手段は、前記画像に付加されている印字情報から、前記印字情報生成手段により生成された印字情報に差し替えて画像を生成することを特徴とする請求項１に記載の情報処理装置。
【請求項３】
利用者よりなされる付加情報を削除する指示を受け付ける削除指示受付手段を更に有し、
前記生成手段は、前記取得手段により取得された画像から、前記抽出手段により印字情報を解析することで得られる付加画像を削除して画像を生成することを特徴とする請求項１または２に記載の出力装置。
【請求項４】
前記抽出手段により印字情報が抽出されなかった場合、前記画像を解析することで疑似的に印字情報を生成することと特徴とする請求項１乃至３のいずれか１項に記載の情報処理装置。
【請求項５】
読み取られた文書の複写物を出力する出力装置と情報処理装置が通信可能な情報処理システムであって、
前記出力装置は、
読み取られた文書の画像を取得する取得手段と、
前記取得手段により取得された画像から、当該画像に付加する付加画像に関する付加情報が埋め込まれている印字情報を抽出する抽出手段と、
前記抽出手段により抽出された印字情報を解析することで得られる付加画像に関する付加情報を用いて、前記取得された画像に付加されている付加画像とは異なる付加画像を、付加画像を管理する情報処理装置へ要求する要求手段と、
前記情報処理装置から付加画像を受信する受信手段と、
前記画像に付加されている付加画像から、前記受信手段により受信した付加画像に差し替えて画像を生成する画像生成手段と、
前記画像生成手段により生成された画像に対して出力処理を行う出力手段を有し、
前記情報処理装置は、前記出力装置から付加画像の要求を受け付ける受付手段と、
前記受付手段に応じて抽出した付加画像を、前記出力装置へ送信する送信手段と
を有することを特徴とする出力装置。
【請求項６】
読み取られた文書の複写物を出力する出力装置において実行可能な制御方法であって、
読み取られた文書の画像を取得する取得ステップと、
前記取得ステップにより取得された画像から、当該画像に付加する付加画像に関する付加情報が埋め込まれている印字情報を抽出する抽出ステップと、
前記抽出ステップにより抽出された印字情報を解析することで得られる付加画像に関する付加情報を用いて、前記取得された画像に付加されている付加画像とは異なる付加画像を、付加画像を管理する情報処理装置へ要求する要求ステップと、
前記情報処理装置から付加画像を受信する受信ステップと、
前記画像に付加されている付加画像から、前記受信ステップにより受信した付加画像に差し替えて画像を生成する画像生成ステップと、
前記画像生成ステップにより生成された画像に対して出力処理を行う出力ステップと
を有することを特徴とする制御方法。
【請求項７】
読み取られた文書の複写物を出力する出力装置において実行可能なプログラムであって、
読み取られた文書の画像を取得する取得手段、
前記取得手段により取得された画像から、当該画像に付加する付加画像に関する付加情報が埋め込まれている印字情報を抽出する抽出手段、
前記抽出手段により抽出された印字情報を解析することで得られる付加画像に関する付加情報を用いて、前記取得された画像に付加されている付加画像とは異なる付加画像を、付加画像を管理する情報処理装置へ要求する要求手段、
前記情報処理装置から付加画像を受信する受信手段、
前記画像に付加されている付加画像から、前記受信手段により受信した付加画像に差し替えて画像を生成する画像生成手段、
前記画像生成手段により生成された画像に対して出力処理を行う出力手段
として前記出力装置を機能させることを特徴とするプログラム。
【請求項８】
請求項７に記載のプログラムをコンピュータ読み取り可能に記録した記録媒体。
【発明の詳細な説明】
【技術分野】
【０００１】
本発明は、ネットワークを介して印刷付加情報を取得、印刷する出力装置、およびその制御方法と、その付加情報を読み取る装置・およびその制御方法、読み取った付加情報を新しい付加情報に変更して印刷する出力装置・およびその制御方法、読み取った付加情報を削除して印刷する出力装置・およびその制御方法に関する。おもに付加情報を取得（付加情報の認識）と、その付加情報を変更・または削除するシステム・プログラムに関する。
【背景技術】
【０００２】
印刷（または複写）（以下、印刷とする）時に、裏面には付加情報（例えば広告やＰＲ情報などをさす）（以下、付加情報とする）を印字することで、印刷（またはコピー）を実施するユーザから課金を行わない仕組みは存在する（例えば、特許文献１）。
【０００３】
印刷物における余白を自動計算し、その余白領域におさまる付加情報を印字する技術は公開されている（例えば、特許文献２）。
【０００４】
また印刷時に、印刷（またはコピー）を実施するユーザのＩＤから、そのユーザの趣味・嗜好を鑑みた付加情報を取得し印字する技術は公開されている（例えば、特許文献３）。
【０００５】
またさらに、その印刷文書の特徴量（スキャンした文字列から、この印刷文書の意味合い）を抽出し、その印刷文書にあった付加情報を取得し印刷する技術は公開されている（例えば、特許文献４）。
【先行技術文献】
【特許文献】
【０００６】
【特許文献１】特開２０００−３２６５８１号公報
【特許文献２】特開２００２−３７３１６１号公報
【特許文献３】特開２００２−２６８８３１号公報
【特許文献４】特開２００３−２８９４３２号公報
【発明の概要】
【発明が解決しようとする課題】
【０００７】
しかしながら、上記特許文献においては、裏面・余白への付加情報の印字や、その付加情報をどのように取得するかが目的となっていることから、例えば一度印字した付加情報は、複製（複写）をしても常に同じ付加情報が印字されることとなる。
【０００８】
そのため、付加情報の提供主（例えば広告主やＰＲ主）（以下、付加情報の提供主と呼ぶ）にとって、複製（複写）が何枚もされるような文書であれば利益を得る事ができる可能性があるが、それから漏れた同類の付加情報の提供主にとっては、不利益を被ることとなる。
【０００９】
また、例えば一時的に付加情報を印字せずに複製（複写）したいという印刷ユーザのニーズには応えられない。具体例としては、試し刷りを実施した際には、印刷課金を無償にするため付加情報付きで印刷を実施したとすると、その文書をそのまま複製して本番刷りを実施することはできない。
【００１０】
本発明は、上記課題を解決するものであり、印刷物を複写する場合において、当該印刷物に付加されている付加情報とは異なる付加情報を複写物に付加することを可能とすることを目的とする。
【課題を解決するための手段】
【００１１】
本発明は、読み取られた文書の複写物を出力する出力装置であって、読み取られた文書の画像を取得する取得手段と、前記取得手段により取得された画像から、当該画像に付加する付加画像に関する付加情報が埋め込まれている印字情報を抽出する抽出手段と、前記抽出手段により抽出された印字情報を解析することで得られる付加画像に関する付加情報を用いて、前記取得された画像に付加されている付加画像とは異なる付加画像を、付加画像を管理する情報処理装置へ要求する要求手段と、前記情報処理装置から付加画像を受信する受信手段と、前記画像に付加されている付加画像から、前記受信手段により受信した付加画像に差し替えて画像を生成する画像生成手段と、前記画像生成手段により生成された画像に対して出力処理を行う出力手段とを有することを特徴とする。
【発明の効果】
【００１２】
本発明によれば、印刷物を複写する場合において、当該印刷物に付加されている付加情報とは異なる付加情報を複写物に付加することが可能となる。
【図面の簡単な説明】
【００１３】
【図１】本発明の実施形態の付加情報の印刷システムにおける全体構成図である
【図２】本発明の実施形態の付加情報配信サーバのハードウェア構成を示す図である
【図３】本発明の実施形態の複合機のハードウェア構成を示す図である
【図４】本発明の実施形態の付加情報印刷のイメージ図である
【図５】本発明の実施形態の付加情報の印刷システム全体のフロー図である
【図６】本発明の実施形態の印字情報を文書から取得する印字情報取得手段のフロー図である
【図７】本発明の実施形態の取得した印字情報を解析する印字情報解析手段のフロー図である
【図８】本発明の実施形態の解析した印字情報を格納する印字情報テーブルである
【図９】本発明の実施形態の解析した印字情報から付加情報配信サーバに接続し、付加情報の取得を試みる付加情報取得手段のフロー図である
【図１０】本発明の実施形態の文書に印字する付加情報に関する印字情報を生成する印字情報生成手段のフロー図である
【図１１】本発明の実施形態の文書に印字する付加情報を差し替えて印字する付加情報差替手段のフロー図である
【図１２】本発明の実施形態の文書に印字されていた付加情報を削除して複製する付加情報削除手段のフロー図である
【図１３】本発明の実施形態の文書に付加情報が印字されていない場合の文書の複製において、疑似的に印字情報テーブルを作成する印刷情報疑似生成手段のフロー図である
【図１４】本発明の実施形態の複写機のパネルに表示するＵＩの例を現した図である
【図１５】本発明の実施形態の付加情報配信サーバで持つ付加情報を管理しているテーブル図である
【発明を実施するための形態】
【００１４】
以下、図面を用いて本発明に係る実施の形態を説明する。
【００１５】
図１は本発明の実施形態の付加情報の印刷システム（情報処理システム）における全体構成図である。
【００１６】
付加情報配信サーバ１０１は、付加情報（例えば、広告情報など）の管理を行う。付加情報の管理については図１５のテーブルを利用して管理するが、詳細は後述する。
【００１７】
付加情報を印刷する複写機１０２（印刷装置、出力装置、画像形成装置ともいう。以下同じ。）は、ネットワーク（インターネット若しくはイントラネット）１０３を経由して付加情報配信サーバ１０１にアクセスし、付加情報を取得する。印刷装置１０２は、利用するユーザの指示のもと、付加情報の印刷を行う。または、付加情報の削除を行う。一連の動作の流れについて図３を用いて後に説明する。
【００１８】
付加情報配信サーバ１０１と印刷装置１０２は、インターネットまたはイントラネットの何れに接続されていてもよい。
【００１９】
なお、本構成図はあくまでも一例であることは、言うまでもない。
【００２０】
図２は、付加情報配信サーバ（情報処理装置）のハードウェア構成図である。
【００２１】
図２に示すように、付加情報配信サーバ１０１は、システムバス２１１を介してＣＰＵ（Ｃｅｎｔｒａｌ  Ｐｒｏｃｅｓｓｉｎｇ  Ｕｎｉｔ）２０１、ＲＡＭ（Ｒａｎｄｏｍ  Ａｃｃｅｓｓ  Ｍｅｍｏｒｙ）２０２、ＲＯＭ（Ｒｅａｄ  Ｏｎｌｙ  Ｍｅｍｏｒｙ）２０３、ＫＢＣ（Ｋｅｙｂｏａｒｄ  Ｃｏｎｔｒｏｌｌｅｒ）２０４、ＤＣ（Ｄｉｓｐｌａｙ  Ｃｏｎｔｒｏｌｌｅｒ）２０６、ＭＣ（Ｍｅｍｏｒｙ  Ｃｏｎｔｒｏｌｌｅｒ）２０８、ＮＷ  Ｉ／Ｆ（Ｎｅｔｗｏｒｋ  Ｉｎｔｅｒｆａｃｅ）２１０などが接続された構成となる。
【００２２】
ＣＰＵ２０１は、ＲＯＭ２０３の「プログラム用ＲＯＭ」に記憶されたプログラムに基づいてシステムバス２１１に接続された各デバイスを制御し、情報処理装置全体を統括制御する。また、このＲＯＭ２０３の「フォント用ＲＯＭ」にはフォントデータ等を記憶し、ＲＯＭ２０３の「データ用ＲＯＭ」には各種データを記憶する。
【００２３】
ＲＡＭ２０２は、ＣＰＵ２０１の主メモリ、ワークエリア等として機能する。
【００２４】
ＫＢＣ２０４は、キーボード２０５や不図示のポインティングデバイス、例えばマウスからの入力を制御する。
【００２５】
ＤＣ２０６は、ディスプレイ２０７の表示を制御する。なお、ディスプレイはＣＲＴであってもＬＣＤ等のその他の形式の表示装置であってもよい。
【００２６】
ＭＣ２０８は、ハードディスク２０９や不図示のフレキシブルディスク（ＦＤ）、ＣＤ−ＲＯＭ等とのアクセスを制御する。
【００２７】
ＮＷ  Ｉ／Ｆ２１０は、ネットワーク１０３を介して通信を行う。
【００２８】
図３は、複写機（画像形成装置）のハードウェア構成図である。
【００２９】
図３に示すように、複写機１０２は、システムバス４１８および画像バス４１９を介してＣＰＵ（Ｃｅｎｔｒａｌ  Ｐｒｏｃｅｓｓｉｎｇ  Ｕｎｉｔ）４０１、ＲＡＭ（Ｒａｎｄｏｍ  Ａｃｃｅｓｓ  Ｍｅｍｏｒｙ）４０２、ＲＯＭ（Ｒｅａｄ  Ｏｎｌｙ  Ｍｅｍｏｒｙ）４０３、ＭＯＤＥＭ４０４、操作部  Ｉ／Ｆ４０５、ＨＤＤ（Ｈａｒｄ  Ｄｉｓｃ  Ｄｒｉｖｅ）４０７、ＩＭＡＧＥ  ＢＵＳ４０８、ＲＩＰ（Ｒａｓｔｅｒ  Ｉｍａｇｅ  Ｐｒｏｃｅｓｓｏｒ）４０９、プリンタ  Ｉ／Ｆ４１０、スキャナ  Ｉ／Ｆ４１２、画像処理部４１４、ＮＷ  Ｉ／Ｆ（Ｎｅｔｗｏｒｋ  Ｉｎｔｅｒｆａｃｅ）４１５、外部  Ｉ／Ｆ４１６などが接続された構成となる。
【００３０】
また、図３に示すように、コントローラユニット４００は、画像出力デバイスとして機能するプリンタ４１１や、画像入力デバイスとして機能するスキャナ４１３と接続する。
【００３１】
ＣＰＵ４０１は、システム全体を制御するプロセッサである。
【００３２】
ＲＡＭ４０２は、ＣＰＵ４０１が動作するためのシステムワークメモリであり、プログラムを記録するためのプログラムメモリや、画像データを一時記録するための画像メモリでもある。
【００３３】
ＲＯＭ４０３は、システムのブートプログラムや各種制御プログラムが格納されている。
【００３４】
ＭＯＤＥＭ４０４は、公衆回線に接続し、ＦＡＸの送受信等のデータの入出力を行う。
【００３５】
操作部  Ｉ／Ｆ４０５は、操作部（ＵＩ）４０６とのインタフェース部であり、操作部４０６に表示する画像データを操作部４０６に対して出力する。また、操作部  Ｉ／Ｆ４０５は、操作部４０６から本システム使用者が入力した情報（例えば、選択操作、ボタン操作等）をＣＰＵ４０１に伝える役割をする。なお、操作部４０６はタッチパネルを有する表示部を備え、該表示部に表示されたボタンを、ユーザが押下（指等でタッチ）することにより、各種指示を行うことができる。また、操作部４０６は、ＬＣＤ表示部を有し、ＬＣＤ上にタッチパネルシートが貼られており、システムの操作画面を表示するとともに、表示してあるキーが押されるとその位置情報を操作部  Ｉ／Ｆ４０５を介してＣＰＵ４０１に伝える。また、操作部４０６は、各種操作キーとして、例えば、スタートキー、ストップキー、ＩＤキー、リセットキー等を備える。ここで、操作部４０６のスタートキーは、原稿画像の読み取り動作を開始する時などに用いる。スタートキーの中央部には、緑と赤の２色ＬＥＤがあり、その色によってスタートキーが使える状態にあるかどうかを示す。また、操作部４０６のストップキーは、稼働中の動作を止める働きをする。また、操作部４０６のリセットキーは、操作部からの設定を初期化する時に用いる。
【００３６】
ＨＤＤ４０７は、システムを制御するための各種プログラム、画像データ等を格納する。
【００３７】
ＩＭＡＧＥ  ＢＵＳ４０８は、システムバス４１８と画像データを高速で転送する画像バス４１９とを接続し、データ構造を変換するバスブリッジである。画像バス４１９は、ＰＣＩバスまたはＩＥＥＥ１３９４で構成される。画像バス４１９上には以下のデバイスが配置される。
【００３８】
ＲＩＰ４０９は、例えば、ＰＤＬコード等のベクトルデータをビットマップイメージに展開する。
【００３９】
プリンタ  Ｉ／Ｆ４１０は、プリンタ４１１とコントローラユニット４００を接続し、画像データの同期系／非同期系の変換を行う。プリンタ４１１は、ラスタイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動は、ＣＰＵ４０１からの指示によって開始する。なお、プリンタ４１１には、異なる用紙サイズまたは異なる用紙向きを選択できるように複数の給紙段を持ち、それに対応した用紙カセットがある。
【００４０】
スキャナ  Ｉ／Ｆ４１２は、スキャナ４１３とコントローラユニット４００を接続し、画像データの同期系／非同期系の変換を行う。スキャナ４１３は、原稿となる紙上の画像を照明し、ＣＣＤラインセンサで走査することで、ラスタイメージデータとして電気信号に変換する。原稿用紙は原稿フィーダのトレイにセットし、装置使用者が操作部４０６から読み取り起動指示することにより、ＣＰＵ４０１がスキャナ４１３に指示を与え、フィーダは原稿用紙を１枚ずつフィードし原稿画像の読み取り動作を行う。
【００４１】
画像処理部４１４は、入力画像データに対し補正、加工、編集を行ったり、プリント出力画像データに対して、プリンタの補正、解像度変換等を行ったりする。また、これに加えて、画像処理部４１４は、画像データの回転や、多値画像データに対してはＪＰＥＧ、２値画像データはＪＢＩＧ、ＭＭＲ、ＭＨ等の圧縮伸張処理を行う。
【００４２】
ＮＷ  Ｉ／Ｆ４１５は、ネットワーク１０４に接続し、データの入出力を行う。
【００４３】
外部  Ｉ／Ｆ４１６は、ＵＳＢ、ＩＥＥＥ１３９４、プリンタポート、ＲＳ−２３２Ｃ等の外部入力を受け付けるＩ／Ｆ部であり、本実施形態においては近距離無線通信で必要となるＢｌｕｅｔｏｏｔｈ４１７が外部  Ｉ／Ｆ部４１６に接続されている。そして、ＣＰＵ４０１は、この外部  Ｉ／Ｆ４１６を介してＢｌｕｅｔｏｏｔｈからの情報読み取りを制御し、情報を取得可能である。以上のデバイスがシステムバス４１８上に配置される。
【００４４】
Ｂｌｕｅｔｏｏｔｈ４１７は、ＣＰＵ４０１からの制御により、通信を行い、情報を外部  Ｉ／Ｆ４１６を介してＣＰＵ４０１へ通知する。
【００４５】
以上のような構成によって、複写機１０２は、スキャナ４１３から読み込んだ画像データをネットワーク１０３上に送信したり、ネットワーク１０３から受信した印刷データをプリンタ４１１により印刷出力したりすることができる。
【００４６】
また、スキャナ４１３から読み込んだ画像データをＭＯＤＥＭ４０４により、公衆回線上にＦＡＸ送信したり、公衆回線からＦＡＸ受信した画像データをプリンタ４１１により出力したりすることできる。
【００４７】
図４は、本発明の実施の形態における一連の流れを示す図である。
【００４８】
複写機において、オリジナル文書３０１を「課金なし」で複製する場合は、文章の内容から、文書に合致した付加情報を付加情報配信サーバ１０１より取得し、余白に印刷する。その際に、付加情報印字情報を生成し、同じく余白部分に印字する。最終的な印字結果は、付加情報＋印字情報付き文書３０２となる。ここで、付加情報とは、矩形３１内に印刷される広告（広告以外の文書、イメージなどであってもよい。）のことであり、印字情報とは、矩形３２内に印刷される二次元コード（ＱＲコードなど）やバーコードのことをいう。二次元コードの中には、付加情報に関する情報（印刷する位置の情報、カラー情報、ジャンル情報など）が埋め込まれている。
【００４９】
また、複写機において、付加情報＋印字情報付き文書３０２を「課金あり」で複製する場合は、オリジナル文書３０１と同等な複製文書３０３が印字結果となる。これは印字情報から取得した付加情報の画像を除いて印字しているからである。
【００５０】
一方、複写機において、付加情報＋印字情報付き文書３０２を「課金なし」で複製する場合は、付加情報印字情報から読みとった付加情報のデータと同等な付加情報を、付加情報配信サーバ１０１にアクセスし取得する。印字結果は、付加情報＋印字情報付き文書３０４となる。同等な付加情報とは、同じジャンルではあるが、内容が異なる付加情報のことをいう。ここでは、「ＡＢＣ  トラベル」の広告３１と、「チケット  割引」の広告３３を例としている。
【００５１】
各処理のフローや必要な情報の生成については後述する。
【００５２】
図５は、本発明の実施形態の付加情報印刷システムの全体のフローチャートである。
【００５３】
本処理は、複写機１０２において実行される処理である。
【００５４】
まず、ユーザは、オリジナル文書３０１を複写機の原稿台に乗せて、複写機の操作部から操作指示を行う。なお、オリジナル文書を複写する枚数を予め指定した状態で、以下のフローチャートが始まる。
【００５５】
ステップ５０１において、複写機は、付加情報付き印刷を実行するかをユーザに問い合わせ、付加情報付き印刷を行うかの判断を行う。付加情報付き印刷を行わない場合、ステップ５０２へ進み、付加情報付き印刷を行う場合、ステップ５１３へ進む。
【００５６】
具体的には、図１４に示す画面１４０１を表示し、ユーザにより「付加情報印刷（無料）」ボタンが押下されたか、「通常印刷（有料）」ボタンが押下されたかにより判断する。
【００５７】
ステップ５０２において、複写機は、課金手段により課金処理を行う。ここでの課金処理は、１枚複写する毎に１０円課金するというような、いわゆる普通の複写時における課金処理である。
【００５８】
ステップ５０３において、複写機は、印字情報取得手段により、スキャンした文書から付加情報を取得する。
【００５９】
ここで、図６を用いて印字情報取得手段の詳細を説明する。
【００６０】
図６は、本発明のスキャン文書に付加情報が存在するかを判断する印字情報取得手段５０３のフローチャートである。
【００６１】
ステップ６０１において、複写機は、原稿台におかれている文書をスキャンし、スキャン文書（スキャンした文書から得られる画像イメージのことである。）から印字情報を表現しているバーコード（ＱＲコードその他の二次元コードなどを含む。以下同様なので省略。）を見つける。なお、スキャン文書からＱＲコードを読み込む技術は、既に公知であるため（例えば、特開２００３−１９６５８６など）、これを用いることができる。また、読み込んだＱＲコードからスキャン画像のどの位置に配置されているかを示す座標情報を取得し、メモリに一時的に保存しておく。
【００６２】
ステップ６０２において、複写機は、バーコードが存在するかを判定する。バーコードが存在する場合は、ステップ６０４へ進み、存在しない場合は、ステップ６０３へ進む。
【００６３】
すなわち、ステップ６０３へ進んだ場合、スキャンした文書には付加情報は印刷されていない（印字情報が存在しない）とみなし、一方、ステップ６０４へ進んだ場合、スキャンした文書には付加情報が印刷されている（印字情報が存在する）とみなし、印字情報取得手段の処理を終了する。
【００６４】
次に、図５の説明へ戻る。
【００６５】
ステップ５０４において、複写機は、印字情報（＝付加情報）が存在するかを判定する。印字情報がない場合は、ステップ５０５へ進み、印字情報が存在する場合は、ステップ５０６へ進む。
【００６６】
ステップ５０５において、複写機は、通常の印刷処理を行う。すなわち、オリジナル文書とまったく同じ文書を出力する。そして、複写処理を終了する。
【００６７】
ステップ５０６において、複写機は、付加情報を削除して印字するかをユーザに問い合わせ、付加情報を削除して印字するかを判断する。付加情報を削除して印字する場合、ステップ５０７へ進み、そのまま印字する場合、ステップ５０５へ進む。具体的には、図１４に示す画面１４０２を表示し、ユーザにより「付加情報を削除して印刷」ボタンが押下されたか、「そのまま印刷」ボタンが押下されたかにより判断する。
【００６８】
ステップ５０７において、複写機は、付加情報削除印刷手段により、スキャンした文書から付加情報を除去（削除）してスキャン文書の印刷を行い、複写処理を終了する。
【００６９】
ここで、図１２を用いて、付加情報削除印刷手段を説明する。
【００７０】
図１２は、付加情報が印刷してある文書から、その付加情報を削除（除去）して印刷を行う付加情報削除手段のフローチャートである。
【００７１】
ステップ１２０１において、複写機は、スキャンした画像データから取得したバーコードを解析して、バーコード内に埋め込まれている情報の中から、付加情報を印字する矩形領域情報を抽出する。そして抽出した矩形領域に対して何も描画されないように、当該矩形領域を、空白にするか、白色もしくは背景色を設定する（オーバレイ処理を行う。）。これにより、オリジナル画像に、広告などの付加情報が付加されている場合であっても、複写物には広告部分が空白状態で印刷されることとなる。また、バーコードが配置される領域についても同様に何も描画されないようにする。
【００７２】
ステップ１２０２において、複写機は、文書に存在する印字情報（バーコード）数に達しているか判断する。達していない場合は、ステップ１２０１へ戻り、達している場合は、ステップ１２０３へ進む。
【００７３】
ステップ１２０３において、複写機は、最終画像を印刷する処理を行う。
【００７４】
以上の処理により、図４に示す３０２の文書（付加情報  ＋  印字情報付き文書）から、３０３の文書（オリジナル文書と同じ文書）が印刷されることとなる。
【００７５】
次に、図５の説明へ戻る。
【００７６】
ステップ５０１において、「付加情報印刷（無料）」ボタンが押された場合、以降、課金を行わない複写処理を行う。なお、ユーザから課金を行わないのは、付加情報の広告主から広告費用を回収することができるからである。
【００７７】
ステップ５１３において、複写機は、印字情報取得手段により、スキャンした文書から付加情報を取得する。印字情報取得手段の詳細は上述したので説明を省略する。
【００７８】
ステップ５１４において、複写機は、印字情報が存在するかを判定する。印字情報がない場合は、ステップ５０９へ進み、印字情報が存在する場合は、ステップ５０８へ進む。
【００７９】
ステップ５０８において、複写機は、印字情報解析手段により、印字情報を読みこむ。その後、ステップ５１０へ進む。
【００８０】
ここで、図７を用いて、印字情報解析手段を用いて説明する。
【００８１】
図７は、本発明のスキャン文書に存在する印字情報（バーコードなどで表現）を読み取り解析する印字情報解析手段５０４のフローチャートである。
【００８２】
ステップ７０１において、複写機は、ステップ５１３において取得した１または複数の印字情報（例えばバーコードで表現）を解析する。バーコードの内容の解析方法については、公知の技術であるため、これを用いる。まずは、印字情報取得手段により、矩形情報（スキャン画像に配置されている座標位置）を取得することができる。また、取得したバーコードそれぞれの内容を解析することにより、付加情報に関する情報を取得することができる。具体的には、付加情報の数、表と裏のどちらに印刷するのかの情報、付加情報を印刷する矩形情報、カラー情報、付加情報として印刷する画像に紐付く付加情報ＩＤ、付加情報のジャンルと特定するジャンルＩＤなどを取得することができる。なお、一つのバーコードに一つの付加情報が埋め込まれていてもよいし、一つのバーコードに複数の付加情報が埋め込まれていてもよい。ここでは、一つのバーコードに一つ以上の付加情報が埋め込まれているものとして説明する。
【００８３】
ステップ７０２において、複写機は、ステップ７０１において取得した各種情報を用いて、図８に示す印字情報テーブルを作成する。
【００８４】
文書に存在する付加情報画像の数８０１、印字情報バーコードの矩形８０２には、付加情報の数とバーコードの矩形情報を入力する。
【００８５】
また、バーコードを解析することで得られる次の項目を含む１または複数のレコードを追加する。１レコードの中には、番号情報８０３、表・裏情報８０４、矩形情報８０５、カラー情報８０６、付加情報ＩＤ８０７、ジャンルＩＤ８０８がある。
【００８６】
次に、図５の説明へ戻る。
【００８７】
ステップ５０９において、複写機は、印字情報疑似生成手段により、疑似的に印字情報を生成する。その後、ステップ５１０へ進む。
【００８８】
ここで、図１３を用いて、印字情報疑似生成手段を説明する。
【００８９】
図１３は、オリジナル文書に付加情報が印刷していない場合に、疑似的に印字情報があるかのように扱う印字情報疑似生成手段５０９のフローチャートである。
【００９０】
これは、図４に示す、文書３０１から、文書３０２を印刷する場合に用いられるものである。
【００９１】
ステップ１３０１において、複写機は、スキャンした文書の余白を計算する。余白とは、文字やオブジェクトなどが存在しない領域のことである。この余白は、付加情報を印刷する領域の候補である。ここでは、１または複数の余白が算出されるものとする。なお、余白に付加情報の画像を割り当てる技術はすでに確立している（特許文献２など）。
【００９２】
ステップ１３０２において、複写機は、算出された余白の中から、印字情報（バーコード）を印字する領域を決定し、印字情報テーブルに格納する。具体的には、８０２へ、矩形領域情報を入力する。また、８０１へは、算出された余白の個数から印字情報を配置するための１つ分の余白を除いた個数を入力する。例えば、余白が４つあった場合、印字情報のために１つの余白を用いるため、残りは３となる。すなわち、これは付加情報を配置する領域の数である。なお、全ての余白に付加情報を配置するのではなく、一番大きな１つに配置するという指定を予めすることも可能である。その場合、８０１へは、「１」が入力される。その他、個数に限らず、配置位置による優先度など、指定可能とすることで、ここへ入力される数は変動することとなる。
【００９３】
ステップ１３０３において、複写機は、スキャン文書の内容から、文書の特徴量を出し、ジャンルを決定し、印字情報テーブルに格納する。なお、文書の特徴量を出す技術はすでに確立している（特許文献４など）。なお、ステップ１３０４において、付加情報配信サーバは、複写機から受け取ったジャンル名から、そのジャンル名に対応するジャンルＩＤを取得して、複写機に送信する。これは、文書のジャンルにあった付加情報を取得可能とするためである。複写機は、受信したジャンルＩＤを印刷情報テーブルに格納する。
【００９４】
ステップ１３０５において、複写機は、一つの余白に対して、印字情報テーブルの１レコードを埋める。具体的には、表・裏、余白の位置情報、ジャンルＩＤである。なお、カラーか否かは、デフォルト値を用いることができる。また、付加情報ＩＤについては、この時点では空欄で良い。
【００９５】
ステップ１３０６において、複写機は、ステップ１３０１において算出した余白の中から、未処理の余白がないかを判定する。余白がない場合は、終了し、余白がある場合は、ステップ１３０５へ戻り処理を続ける。
【００９６】
次に、図５の説明へ戻る。
【００９７】
以上、説明した通り、印字情報が存在する場合は、ステップ５０８により、印字情報が存在しない場合は、ステップ５０９により、図８に示す印字情報テーブルが確立している。
【００９８】
ステップ５１０において、複写機は、付加情報取得手段により、付加情報配信サーバから付加情報を取得する。そして、取得した付加情報を用いて印字情報テーブルの更新を行う。
【００９９】
ここで、図９を用いて、付加情報取得手段を説明する。
【０１００】
図９は、本発明のスキャン文書に印刷する付加情報を付加情報配信サーバから取得する付加情報取得手段５１０についてのフローチャートである。
【０１０１】
ステップ９０１において、複写機は、付加情報配信サーバへの接続処理を行う（通信処理を開始する。）。なお、通信を開始するに当たり、予め複写機が設置されている場所ごとに複写機に設定される「地域ＩＤ」を、複写機を識別する固有のＩＤと共に付加情報配信サーバへ送信しておく。この「地域ＩＤ」は、後の処理で用いられる。
【０１０２】
ステップ９０２において、複写機は、これから取得する付加情報の取得数を計算する。これは、文書に貼る付加情報を１回のアクセスで取得するためである。具体的には、印刷情報テーブルの個数８０１と複写開始時にユーザにより指定された印刷枚数の積から算出する。なお、この計算で、文書に存在する付加情報数（印字情報テーブルの個数８０１（図８にある文書に存在する付加情報画像の数と一致））と印刷枚数の積を取得する付加情報数としているのは、例えば１０枚印刷する場合、すべてに異なった付加情報を印字するためである。付加情報の数が「１」であれば「１×１０＝１０」となり、付加情報の数が「３」であれば「３×１０＝３０」となる。
【０１０３】
ステップ９０３において、複写機は、取得数、並びに、印刷情報テーブルにおける付加情報を示す「付加情報ＩＤ」と「ジャンルＩＤ」との組を１レコード毎に、付加情報サーバへ送信する。印刷情報テーブルにおいて、付加情報が１つだけの場合は、「付加情報ＩＤ」と「ジャンルＩＤ」との組を１組送信する。印刷情報テーブルにおいて、付加情報が３つある場合は、「付加情報ＩＤ」と「ジャンルＩＤ」との組を３組送信する。
【０１０４】
ステップ９０４において、付加情報配信サーバは、取得数と、レコード毎の「付加情報ＩＤ」と「ジャンルＩＤ」との組を受信し、予め取得していた「地域ＩＤ」と、「ジャンルＩＤ」とを用いて、図１５に示すテーブルから付加情報を検索する。
【０１０５】
図１５は、付加情報配信サーバが管理する付加情報テーブルを示す図である。付加情報テーブルは、複数のテーブルが関係付けられている。いわゆるリレーショナルデータベース構成である。
【０１０６】
ステップ９０４において、「ジャンルＩＤ」だけでなく、「地域ＩＤ」を用いて付加情報を検索するのは、付加情報の有効性を高めるためである。すなわち、例えば、「ジャンルＩＤ＝５」の旅行だけで検索しても、その複写機が設置している地域に関係ない別の地域の広告を付加情報として印刷しても広告としての有効性が低くなるからである。例えば、北海道に設置している複写機で、沖縄の広告が印刷されたとしても有効性が低いと考えられる。そこで、「地域ＩＤ」を用いることで、北海道であれば北海道の広告を、沖縄であれば沖縄の広告を印刷することが可能となる。これにより地域性が高い付加情報を取得することが可能となる。
【０１０７】
具体的には、取得した「ジャンルＩＤ」を用いて、付加情報テーブルのジャンルＩＤ１５１０を検索する。また、取得した「地域ＩＤ」を用いて、付加情報テーブルの地域ＩＤ１５０６を検索する。そして、何れの検索結果にも含まれる所属付加情報ＩＤ（１５０７、１５１１）を検索結果として取得する。受け取った「ジャンルＩＤ」が複数ある場合は、それぞれの「ジャンルＩＤ」毎に検索結果を得る。なお、本実施の形態においては、「地域ＩＤ」を用いているが、これを用いない実施の形態もある。例えば、特定の地域でのみ本サービスを提供する場合であれば、地域で分類する必要がないからである。
【０１０８】
ステップ９０５において、付加情報配信サーバは、検索した付加情報ＩＤより、受け取った付加情報ＩＤより大きい付加情報ＩＤを選択する。大きい物が無い場合は一番小さい付加情報ＩＤを選択する。例えば、複写機から受け取った「付加情報ＩＤ」が「５」であって、検索した付加情報ＩＤが「１、３、５、６、８、１１、１２、１５、１９、２４」の場合、「６」を選択する。また、受け取った「付加情報ＩＤ」が「２５」の場合は、「１」を選択する。これは、毎回同じ付加情報ＩＤを取得してしまうことが無いように、広告主の公平性を損なわずに、地域・ジャンルに従った様々な付加情報を得るための処理である。
【０１０９】
ステップ９０６において、付加情報配信サーバは、取得数に達したかを判定する。取得数に達していない場合は、ステップ９０５へ戻り処理を繰り返す。取得数に達した場合は、ステップ９０７へ進む。例えば、「付加情報ＩＤ」と「ジャンルＩＤ」との組を１組と、取得数を「１０」受け取った場合は、この組について付加情報ＩＤを１０個選択する。また、「付加情報ＩＤ」と「ジャンルＩＤ」との組を３組と、取得数を「３０」受け取った場合は、各組について付加情報ＩＤを１０個ずつ選択することとなる。
【０１１０】
ステップ９０７において、付加情報配信サーバは、最終的に選択した付加情報ＩＤとその画像情報など（１５０１、１５０２、１５０３）を、受け取った「ジャンルＩＤ」と対応づけて送信する。なお、１５０３が付加画像である。
【０１１１】
ステップ９０８において、複写機は、付加情報配信サーバから、付加情報ＩＤと画像情報などを受け取る。
【０１１２】
次に、図５の説明へ戻る。
【０１１３】
ステップ５１１において、複写機は、印字情報生成手段により、印字情報を生成する。なお、印字情報生成手段の詳細は図１０を用いて後述する。
【０１１４】
図１０は、本発明の複製文書に印刷する付加情報に関する印字情報（バーコード）を生成する印字情報生成手段５１１のフローチャートである。この印字情報を付加することで、次回にこの文書を複製する際に、既に印字情報が存在する文書であることを明示することが可能となる（６０２の処理）。また、付加情報の情報（ジャンルＩＤなど）を印字することで、文書の特徴量を再取得する事がなくなる（図１３）。さらに、付加情報の差替え手段（図１１）や付加情報の削除手段（図１２）のために、付加情報の印字位置の矩形情報を明示的に示すために本手段を利用している。
【０１１５】
ステップ１００１において、複写機は、付加情報配信サーバから取得した情報を、印字情報テーブルに格納する。具体的には、現在記憶している印字情報テーブルにおいて、受け取った「付加情報ＩＤ」に差し替えて格納する。この処理は、「ジャンルＩＤ」毎に行う。この処理により、印字情報テーブルは更新されることとなる。
【０１１６】
ステップ１００２において、複写機は、更新した印字情報テーブルを用いて、新たなバーコードを生成する。バーコード化する技術は、公知の技術を用いることで実現可能である。
【０１１７】
ステップ１００３において、複写機は、バーコード化した印字情報を、印字情報テーブルのバーコード矩形にある座標にオーバレイ処理を行う。この処理により、バーコードを更新する。
【０１１８】
なお、上記ステップ１００１〜１００３の処理は、オリジナル文書から１枚印刷する場合の処理であり、オリジナル文書から複数印刷する場合は、それぞれの印刷物毎に処理が繰り返される。具体的には、複数印刷する場合は、付加情報配信サーバより、複数の付加情報ＩＤを受け取るため、印刷物毎に、それぞれ異なる付加情報ＩＤを用いて、印刷情報テーブルを更新して、生成したバーコードをオーバレイすることとなる。
【０１１９】
次に、図５の説明へ戻る。
【０１２０】
ステップ５１２において、複写機は、付加情報差替手段により、印字情報と付加情報配信サーバから取得した付加情報を指定の位置に配置して印刷を行う。なお、付加情報差替手段の詳細は図１１を用いて後述する。
【０１２１】
図１１は、本発明の複製文書に印刷する付加情報の印刷である付加情報差替手段５１２を印字情報生成手段のフローチャートである。
【０１２２】
ステップ１１０１において、複写機は、スキャンした画像データから印字情報テーブルにある矩形に「０」（イメージなし）を設定する。具体的には、スキャンした画像データから印字情報テーブルにある付加情報がオーバレイされる矩形イメージなしとすることでスキャンデータに何の画像もなかった矩形として扱うように設定する（矩形部分に何も描画されないようにする。）。
【０１２３】
ステップ１１０２において、複写機は、ステップ９０８において新たに受け取った画像情報イメージを、付加情報が配置される当該領域にオーバレイする。これにより、スキャンした画像に付加されていた広告とは別の広告が付加されることとなる。
【０１２４】
ステップ１１０３において、複写機は、付加情報数に達したかを判定する。達していない場合は、ステップ１１０１へ戻り処理を繰り返し、達した場合は、最終画像を印刷するための印刷処理を行う。これは、１枚の印刷物に複数の付加情報を付加する場合の処理であり、３つの付加情報を付加する場合は、３つ分処理を繰り返すこととなる。そして、最終的なオーバレイ処理により生成された画像を最終画像として、印刷処理を行う。
【０１２５】
なお、上記ステップ１１０１〜１１０４の処理は、オリジナル文書から１枚印刷する場合の処理であり、オリジナル文書から複数印刷する場合は、それぞれの印刷物毎に処理が繰り返される。すなわち、１０枚印刷する場合は、１０回当該処理が繰り返される。
【０１２６】
なお、印刷処理の間、複写機の操作パネルには、操作の内容に応じて、１４０３〜１４０６の画面が生じされる。
【０１２７】
以上、説明した通り、本発明によれば、印刷物を複写する場合において、当該印刷物に付加されている付加情報とは異なる付加情報を複写物に付加することが可能となる。
【０１２８】
また、付加情報が既に印字された文書であっても、その付加情報を削除して複製（複写）する事が可能であるため、ＴＰＯに合わせた複製が可能である。これは、複写機の利用者にとっても利便性を高めるだけでなく、再印刷の手間を省くことで資源の無駄を極力減らす事も可能となる。
【０１２９】
また、文書に印字された付加情報印字情報を読み取ることにより、付加情報が広告・ＰＲのような場合、付加情報を複製（複写）するたびに、印字する付加情報を変更することにより、一定の広告主だけに利益をもたらす事もなく、広告主が平等に利益を享受する効果がある。例えば、従来技術によれば、「Ａ」という広告が印字されている文書を配布用に複製する際に、「Ａ」という広告がそのまま複製される。しかしながら、本発明によれば、配布用に広告を削除して複製を行う選択肢を与えるだけでなく、「Ａ」を「Ｂ」と差し替えて複製を行うため、「Ａ」のみならず「Ｂ」の広告主にも利益を享受する事が可能となる。
【０１３０】
さらに、付加情報が社内のコンプライアンス情報などであった場合、社内文書には標語などの文章が印字される事で、社員啓蒙活動のような効果もあがる。
【０１３１】
なお、上述した各種データの構成及びその内容はこれに限定されるものではなく、用途や目的に応じて、様々な構成や内容で構成されることは言うまでもない。
【０１３２】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【符号の説明】
【０１３３】
１００  付加情報配信サーバ
１０２  複写機
１０３  ネットワーク
【図１】
2011061342.tif 000003
【図２】
2011061342.tif 000004
【図３】
2011061342.tif 000005
【図４】
2011061342.tif 000006
【図５】
2011061342.tif 000007
【図６】
2011061342.tif 000008
【図７】
2011061342.tif 000009
【図８】
2011061342.tif 000010
【図９】
2011061342.tif 000011
【図１０】
2011061342.tif 000012
【図１１】
2011061342.tif 000013
【図１２】
2011061342.tif 000014
【図１３】
2011061342.tif 000015
【図１４】
2011061342.tif 000016
【図１５】
2011061342.tif 000017